(57)【要約】  本発明は、電動式のドリル用ビットと一緒に使用するための係止部材に関するものである。本発明による係止部材は、ドリル用ビットを侵入させる表面に対して係止部材を位置決めし得るよう、少なくとも１つのネジ山付きスリーブを備えている。係止部材は、内部スリーブと外部スリーブとを備えることができる。両スリーブは、互いに同心的に配置される。一方のスリーブは、好ましくは内部スリーブは、ビットの尖端に対してのショルダの位置に関しての粗調整を行い、なおかつ、他方のスリーブは、好ましくは外部スリーブは、ビットの尖端に対してのショルダの位置に関しての微調整を行う。
2007516855.tif 000002
【特許請求の範囲】
【請求項１】
ドリル用ビットのための係止部材であって、
前記ドリル用ビットが、軸線回りに回転可能とされた長尺ボディと、このボディの一方の端部のところに位置しているとともに表面に穴を穿孔し得るものとされた尖端と、この尖端とは反対側に位置した第２端部であるとともに前記ビットを前記ドリルに対して結合させるための第２端部と、前記尖端と前記第２端部との間において前記ボディの外面上に配置された係合領域と、を具備している場合に、
前記係止部材が、
−前記ドリル用ビットの前記尖端に対しての前記係止部材の位置を調節するための第１スリーブであるとともに、前記ドリル用ビットの前記係合領域に対して係合し得るよう構成された第１ネジ山と、この第１ネジ山のピッチとは異なるピッチを有した第２ネジ山と、を備え、さらに、前記係合領域の周囲において前記ドリル用ビットに対して回転可能に取り付けられ、さらに、前記ドリル用ビットに対しての前記係止部材の位置に関しての、微調整と粗調整との一方をもたらし得るものとされた、第１スリーブと；
−この第１スリーブに対して同心的に結合されるとともに前記ドリル用ビットの前記尖端に対しての前記係止部材の位置を調節するための第２スリーブであり、前記第１スリーブの前記第２ネジ山に対して係合し得るよう構成されたネジ山を備えているとともに、前記第１スリーブに対して回転可能に取り付けられ、さらに、前記ドリル用ビットに対しての前記係止部材の位置に関しての、微調整と粗調整との他方をもたらし得るものとされ、さらに、対象物内への前記ドリル用ビットの侵入深さを制限するためのショルダを備えている、第２スリーブと；
を具備していることを特徴とする係止部材。
【請求項２】
請求項１記載の係止部材において、
前記第１スリーブが、前記ドリル用ビットの前記軸線と一致する回転軸線を有していることを特徴とする係止部材。
【請求項３】
請求項２記載の係止部材において、
前記第２スリーブが、前記ドリル用ビットの前記軸線と一致する回転軸線を有していることを特徴とする係止部材。
【請求項４】
請求項１記載の係止部材において、
前記係合領域が、前記ドリル用ビットのカッティンググルーブと、前記ドリル用ビットの係合用ネジ山と、のいずれかとされていることを特徴とする係止部材。
【請求項５】
請求項１記載の係止部材において、
前記第１および第２スリーブの少なくとも一方が、前記ドリル用ビットの前記軸線に沿って測定した際の、前記ドリル用ビットの前記尖端と前記ショルダとの間の距離を示すような、標示を備えていることを特徴とする係止部材。
【請求項６】
請求項５記載の係止部材において、
前記標示が、前記距離の微調整を観測するための微調整用の標示を有していることを特徴とする係止部材。
【請求項７】
請求項６記載の係止部材において、
前記微調整用の標示が、前記第１スリーブ上に配置され、
これにより、前記第２スリーブを前記第１スリーブ回りに回転させた際には、前記第２スリーブのうちの、前記ショルダとは反対側の端部が、前記微調整用の標示の一部を被覆するようになっており、
これにより、前記ドリル用ビットの前記尖端に対しての前記ショルダの微調整位置を視覚的に標示し得るものとされていることを特徴とする係止部材。
【請求項８】
請求項５記載の係止部材において、
前記標示が、前記距離の粗調整を観測するための粗調整用の標示を有していることを特徴とする係止部材。
【請求項９】
請求項８記載の係止部材において、
前記粗調整用の標示が、前記前記ドリル用ビット上に配置され、
これにより、前記第１スリーブを前記ドリル用ビット回りに回転させた際には、前記第１スリーブのうちの、前記ドリル用ビットの前記第２端部に対して最も近くに位置した端部が、前記粗調整用の標示の一部を被覆するようになっており、
これにより、前記ドリル用ビットの前記尖端に対しての前記ショルダの粗調整位置を視覚的に標示し得るものとされていることを特徴とする係止部材。
【請求項１０】
請求項８記載の係止部材において、
前記標示が、前記距離の微調整を観測するための微調整用の標示を有していることを特徴とする係止部材。
【請求項１１】
請求項１０記載の係止部材において、
前記微調整用の標示が、前記第１スリーブ上に配置され、
これにより、前記第２スリーブを前記第１スリーブ回りに回転させた際には、前記第２スリーブのうちの、前記ショルダとは反対側の端部が、前記微調整用の標示の一部を被覆するようになっており、
これにより、前記ドリル用ビットの前記尖端に対しての前記ショルダの微調整位置を視覚的に標示し得るものとされていることを特徴とする係止部材。
【請求項１２】
請求項１１記載の係止部材において、
前記粗調整用の標示が、前記前記ドリル用ビット上に配置され、
これにより、前記第１スリーブを前記ドリル用ビット回りに回転させた際には、前記第１スリーブのうちの、前記ドリル用ビットの前記第２端部に対して最も近くに位置した端部が、前記粗調整用の標示の一部を被覆するようになっており、
これにより、前記ドリル用ビットの前記尖端に対しての前記ショルダの粗調整位置を視覚的に標示し得るものとされていることを特徴とする係止部材。
【請求項１３】
請求項１記載の係止部材において、
前記第１スリーブが、前記ドリル用ビットに対して前記第１スリーブを回転させ得るよう前記第１スリーブを把持するために把持手段として、ローレット表面を備えていることを特徴とする係止部材。
【請求項１４】
請求項１記載の係止部材において、
前記第１スリーブが、前記ドリル用ビットに対して前記第１スリーブを回転させ得るよう前記第１スリーブを把持するために把持手段として、外向きに突出する少なくとも１つの突起を備えていることを特徴とする係止部材。
【請求項１５】
請求項１記載の係止部材において、
前記第１スリーブの前記第２ネジ山が、前記第１スリーブの外面上に配置され、
前記第２スリーブの前記ネジ山が、前記第２スリーブの内面上に配置され、
前記第２スリーブが、前記第１スリーブの前記外面上へと回転可能に取り付けられることを特徴とする係止部材。
【請求項１６】
請求項１記載の係止部材において、
前記第１スリーブの前記第２ネジ山が、前記第１スリーブの内面上に配置され、
前記第２スリーブの前記ネジ山が、前記第２スリーブの外面上に配置され、
前記第２スリーブが、前記第１スリーブの前記内面上へと回転可能に取り付けられることを特徴とする係止部材。
【請求項１７】
請求項１記載の係止部材において、
さらに、前記第１および第２スリーブの一方を所望位置にロックするための少なくとも１つのロックを具備していることを特徴とする係止部材。
【請求項１８】
請求項１７記載の係止部材において、
前記ロックが、セットネジとされていることを特徴とする係止部材。
【請求項１９】
請求項１記載の係止部材において、
さらに、
前記ドリル用ビットを前記表面の予め決定された穿孔箇所において中心合わせするためのセンタリング部材であるとともに、前記ドリル用ビットに対して引き込み可能に取り付けられ、さらに、前記表面に向けて前記ドリル用ビットから突出しており、さらに、前端を備えている、センタリング部材と；
前記センタリング部材の内部に配置された弾性部材であるとともに、前記センタリング部材の前記前端が前記ドリル用ビットの前記尖端を超えて延出された完全延出位置に向けて前記センタリング部材を付勢する、弾性部材と；
を具備していることを特徴とする係止部材。
【請求項２０】
請求項１９記載の係止部材において、
前記弾性部材が、スプリングとされていることを特徴とする係止部材。
【請求項２１】
請求項１９記載の係止部材において、
前記弾性部材が、弾性的なエラストマーとされていることを特徴とする係止部材。
【請求項２２】
請求項１９記載の係止部材において、
前記センタリング部材の前端が、ネジ山を有し、
前記係止部材が、さらに、位置合わせ部材を具備し、
この位置合わせ部材が、一方の端部上に配置されたネジ山と、他方の端部に配置された開口と、を備え、
前記位置合わせ部材の前記ネジ山が、前記センタリング部材の前記ネジ山に対して係合し得るよう構成され、
前記開口が、前記ドリル用ビットの最大直径を挿通させ得るようなサイズとされていることを特徴とする係止部材。
【請求項２３】
請求項２２記載の係止部材において、
前記位置合わせ部材が、円錐台形状の外面を備え、
前記開口が、前記円錐台形状の前記外面を備えてなる円錐台形状部材の最小直径端部のところに配置され、
前記位置合わせ部材の前記ネジ山が、前記円錐台形状部材の反対側の端部に配置されていることを特徴とする係止部材。
【請求項２４】
請求項２２記載の係止部材において、
さらに、互いに異なるサイズの開口を有した複数の位置合わせ部材を具備し、
これにより、様々な直径を有した様々なドリル用ビットに対応し得るものとされていることを特徴とする係止部材。
【請求項２５】
ドリル用ビットと係止部材との組合せであって、
前記ドリル用ビットが、軸線回りに回転可能なものとされているとともに、表面に穴を穿孔し得るものとされたカッティンググルーブを有した尖端と、前記軸線方向において前記尖端とは反対側に位置した端部であるとともに前記ビットを前記ドリルに対して結合させるための端部と、を具備し、
前記係止部材が、
−前記ドリル用ビットの前記尖端に対しての前記係止部材の位置に関しての、微調整と粗調整との一方をもたらし得るものとされた第１スリーブであるとともに、前記ドリル用ビットの前記軸線回りにおいて回転可能に取り付けられ、さらに、第１ピッチを有していて前記ドリル用ビットに対して係合し得るよう構成された第１ネジ山と、この第１ネジ山のピッチとは異なるピッチを有した第２ネジ山と、を備えた、第１スリーブと；
−前記ドリル用ビットの前記尖端に対しての前記係止部材の位置に関しての、微調整と粗調整との他方をもたらし得るものとされた第２スリーブであるとともに、前記ドリル用ビットの前記軸線回りにおいて回転可能に取り付けられ、さらに、前記第１スリーブの前記第２ネジ山に対して係合し得るよう構成されたネジ山を備え、さらに、前記ドリル用ビットの前記尖端の近くに位置した端部を備え、この端部が、前記表面内への前記ドリル用ビットの侵入深さを制限するためのショルダを形成しているような、第２スリーブと；
を具備している、
ことを特徴とする組合せ。
【請求項２６】
請求項２５記載の組合せにおいて、
前記第１および第２スリーブの少なくとも一方が、前記ドリル用ビットの前記尖端と前記ショルダとの間の距離を示すような、標示を備えていることを特徴とする組合せ。
【請求項２７】
請求項２６記載の組合せにおいて、
前記標示が、前記距離の微調整を観測するための微調整用の標示と、前記距離の粗調整を観測するための粗調整用の標示と、を有していることを特徴とする組合せ。
【請求項２８】
請求項２７記載の組合せにおいて、
前記微調整用の標示が、前記第１スリーブ上に配置され、
これにより、前記第２スリーブを前記第１スリーブ回りに回転させた際には、前記第２スリーブのうちの、前記ショルダとは反対側の端部が、前記微調整用の標示の一部を被覆するようになっており、
これにより、前記ドリル用ビットの前記尖端に対しての前記ショルダの微調整位置を視覚的に標示し得るものとされ、
前記粗調整用の標示が、前記前記ドリル用ビット上に配置され、
これにより、前記第１スリーブを前記ドリル用ビット回りに回転させた際には、前記第１スリーブのうちの、前記ドリル用ビットの前記第２端部に対して最も近くに位置した端部が、前記粗調整用の標示の一部を被覆するようになっており、
これにより、前記ドリル用ビットの前記尖端に対しての前記ショルダの粗調整位置を視覚的に標示し得るものとされていることを特徴とする組合せ。
【請求項２９】
請求項２５記載の組合せにおいて、
前記ドリル用ビットが、さらに、前記第１ピッチを有した係合用ネジ山を具備し、
この係合用ネジ山が、前記尖端と前記反対側端部との間において前記ドリル用ビットの外面上に配置され、
前記第１スリーブが、前記ドリル用ビット上の前記係合用ネジ山に対して係合することを特徴とする組合せ。
【請求項３０】
請求項２５記載の組合せにおいて、
内側に位置したスリーブが、前記カッティンググルーブに対して係合することを特徴とする組合せ。
【請求項３１】
ドリル用ビットのための係止部材であって、
前記ドリル用ビットが、軸線回りに回転可能とされた長尺ボディと、このボディの一方の端部のところに位置しているとともに表面に穴を穿孔し得るものとされた尖端と、この尖端とは反対側に位置した第２端部であるとともに前記ビットを前記ドリルに対して結合させるための第２端部と、前記尖端と前記第２端部との間において前記ボディの外面上に配置された係合領域と、を具備している場合に、
前記係止部材が、
前記ドリル用ビットの前記尖端に対しての前記係止部材の位置を調節するためのスリーブであるとともに、前記ドリル用ビットの前記係合領域に対して係合し得るよう構成された内部ネジ山を備え、さらに、前記係合領域の周囲において前記ドリル用ビットに対して回転可能に取り付けられ、さらに、前記ドリル用ビットに対しての前記係止部材の位置に関しての調整をもたらし得るものとされた、スリーブを具備し、
このスリーブが、対象物内への前記ドリル用ビットの侵入深さを制限するためのショルダを備えていることを特徴とする係止部材。
【請求項３２】
請求項３１記載の係止部材において、
前記スリーブが、前記ドリル用ビットの前記軸線と一致する回転軸線を有していることを特徴とする係止部材。
【請求項３３】
請求項３１記載の係止部材において、
前記係合領域が、前記ドリル用ビットのカッティンググルーブと、前記ドリル用ビットの係合用ネジ山と、のいずれかとされていることを特徴とする係止部材。
【請求項３４】
請求項３１記載の係止部材において、
前記スリーブが、前記ドリル用ビットの前記軸線に沿って測定した際の、前記ドリル用ビットの前記尖端と前記ショルダとの間の距離を示すような、標示を備えていることを特徴とする係止部材。
【請求項３５】
請求項３１記載の係止部材において、
前記スリーブが、前記ドリル用ビットに対して前記スリーブを回転させ得るよう前記スリーブを把持するために把持手段として、ローレット表面を備えていることを特徴とする係止部材。
【請求項３６】
請求項３１記載の係止部材において、
前記スリーブが、前記ドリル用ビットに対して前記スリーブを回転させ得るよう前記スリーブを把持するために把持手段として、外向きに突出する少なくとも１つの突起を備えていることを特徴とする係止部材。
【発明の詳細な説明】
【技術分野】
【０００１】
本発明は、ドリルと一緒に使用するためのハードウェアの分野に関するものであり、より詳細には、ドリル用ビットのためのスリーブ状係止部材に関するものである。
【背景技術】
【０００２】
ドリルは、一般的な手動工具である。ドリルは、家庭の日曜大工から手術までにわたって、多くの用途において使用されている。ドリルの使用に関連した１つの共通の問題点は、穿孔対象をなす穴の所望深さを確認することが困難であるということである。ある種の応用においては、例えば、ドアヒンジの設置や、テーブルに対する脚の取付や、手術（例えば、歯の手術、神経外科の手術、整形外科の手術、または、顎顔面の手術）、といったような応用においては、正確な深さでもって穴を開けることは、極めて重要であり、ドリル用ビットの侵入深さを正確に制御することは、重要である。
【０００３】
単純な応用においては、ドリル用ビットに付設するための係止部材という粗雑な手段が、存在している。大工仕事においては、例えば、ドリル用ビット自体の外側に長尺のマスキングテープを取り付けることによって、視覚的な係止部材を形成することが、一般的である。この場合、ドリルの先端に最も近いテープの端部が、ビットの所望の最大侵入深さのところに位置合わせされる。また、テープは、ビットの周囲に対して数回にわたって巻回することもできる。これにより、ドリルが侵入した表面に対して当接するショルダを形成することができる。これは、所望深さを超えてビットが移動してしまうことを制限するように、機能する。この手法は、大工仕事においては、満足のいくようにして機能するけれども、例えば、口腔内の手術においては、適切ではない。なぜなら、係止部材のより正確な（そして、衛生的な）形状が必要とされるからである。
【０００４】
従来技術においては、ドリル用ビットのためのものとして、多くの公知の係止部材が存在している。例えば、特許文献１には、ドリル用ビットのための係止部材として、ドリル用ビットを侵入させ得る深さを制御し得るものが開示されている。係止部材は、標準的なドリル用ビットの外面に対して摩擦嵌めされており、ビットの端部をドリルに対して固定することによって、所定位置に固定することができる。しかしながら、この係止部材は、ビットを侵入させ得る深さを精密に制御し得る手段を一切備えていない。
【０００５】
他の公知の係止部材が、特許文献２に開示されている。この特許文献２には、ビットの侵入深さを制限し得るようなスリーブ状係止部材が開示されている。この係止部材は、螺着されており、所望深さにセットすることができる。しかしながら、ネジ山どうしが互いに広く離間していることのために、微調整を行うことができない。これに代えて、ネジ山どうしを互いに狭く離間させた場合には、粗い移動が困難となる。なぜなら、大きな距離にわたって係止部材を移動させるには、多数のネジ山が必要となるからである。
【０００６】
特許文献３には、外科手術用のドリル用ビットが開示されている。この場合、侵入深さは、ドリル用ビットの外面に対して取り付けられた円錐台形状の係止部材によって制限される。ドリル用ビットの頂部（すなわち、ビットの先端から最も遠い部分）は、一連をなす複数の平行グルーブを備えている。これら平行グルーブを備えていることにより、プランジャー（セットネジ）を使用することによって、係止部材を動かないように固定状態に係合することができる。この構成では、穿孔対象をなす穴の深さの調整がグルーブどうしの間の距離によって制限されてしまうという欠点を避けることができない。例えば、深さを、互いに隣接しているグルーブどうしの半分の長さには、調節することができない。それは、プランジャーを係合させ得ないからであり、そのため、そのような位置にセットできないからである。
【０００７】
したがって、従来技術においては、ドリル用ビットの侵入深さを信頼性高くかつ正確にセットし得る手段を備えたような、なおかつ、穿孔深さの粗調整と微調整との双方を行い得るようにして使用と調整とが容易であるような、ドリル用ビットのための係止部材が要望されている。
【特許文献１】米国特許第５，０７８，５５２号明細書（Albel 氏）
【特許文献２】米国特許第５，１５２，７９２号明細書（Watkins 氏他）
【特許文献３】米国特許第４，７１０，０７５号明細書（Davison 氏）
【発明の開示】
【課題を解決するための手段】
【０００８】
本発明の好ましい実施形態によれば、ドリル用ビットのための係止部材が提供される。この係止部材は、ドリル用ビットの外面に対して螺着される少なくとも１つのスリーブを備えている。スリーブは、係止部材のショルダを位置決めすることによって、表面内へのドリル用ビットの侵入深さを調節することができる。これにより、表面内へと侵入するドリル用ビットの最大侵入深さを制限することができる。ドリル用ビットは、ドリル用ビットの尖端に対してのショルダの位置を視覚的に示し得るような、標示を備えることができる。
【０００９】
本発明の好ましい実施形態によれば、ドリル用ビットのための係止部材が提供され、この係止部材は、係止部材のショルダを位置決めすることによって、表面内へのドリル用ビットの侵入深さを、粗調整および微調整することができる。これにより、ドリル用ビットの最大侵入深さを制限することができる。好ましくは、調整は、２つの同心スリーブによってもたらされる、すなわち、各々がドリル用ビットに対して同軸的とされた２つのスリーブによってもたらされる。両スリーブのうちの一方が、好ましくは内部スリーブが、粗調整を行うものとされ、ドリル用ビットの尖端に対してのショルダの粗調整位置を視覚的に表示するための第１標示を有することができる。両スリーブのうちの他方が、好ましくは外部スリーブが、微調整を行うものとされ、ドリル用ビットの尖端に対してのショルダの微調整位置を視覚的に表示するための第２標示を有することができる。
【００１０】
本発明の他の目的や特徴点は、添付図面を参照しつつ、以下の詳細な説明を読むことにより、明瞭となるであろう。しかしながら、添付図面が例示の目的のためのものに過ぎないこと、および、添付図面が本発明の範囲を制限するものではないことは、理解されるであろう。本発明の範囲に関しては、特許請求の範囲が参照されるべきである。また、添付図面が必ずしも同じスケールで描かれているというわけではないことは、理解されるであろう。特に明記しない限り、添付図面は、説明されている構造および手順を、概念的に例示することを目的としているだけである。
【発明を実施するための最良の形態】
【００１１】
図１には、本発明の好ましい実施形態によるドリル用ビット１２のための係止部材１０が示されている。ビット１２は、ドリル（図示せず）と一緒に使用することを意図したものである。ドリルは、電動式のものとも、また、手動式のものとも、することができる（例えば、オーガ、あるいは、ギムレット）。標準的な実施態様においては、ビット１２は、軸線１４（一点鎖線で示されている）回りに回転駆動され得るようにして、ドリルに対して着脱可能に取り付けられる。ビット１２は、表面２０に穴１８を穿孔し得るよう、螺旋形のカッティンググルーブ１６を備えている。
【００１２】
従来技術の場合と同様に、ビット１２は、尖端２２と、反対側の端部２４と、を備えている。ネジ山付き領域２６が、ビット１２の外面上において、尖端２２と端部２４との間に、設けられている。係止部材１０は、第１内部スリーブ２８を備えている。この第１内部スリーブ２８は、ビット１２に対して係合可能なものであって、軸線１４回りに回転可能なものとされている。内部スリーブ２８は、内部ネジ山付き領域３０と、外部ネジ山付き領域３２と、を備えている。内部ネジ山付き領域は、ビット１２のネジ山付き領域２６に対して係合可能な寸法とされたネジ山を有している。係止部材１０は、さらに、第２外部スリーブ３４を備えている。第２外部スリーブ３４は、内部スリーブ２８に対して係合可能なものであるとともに、軸線１４回りに回転可能なものとされている。外部スリーブ３４は、内部スリーブ２８の外部ネジ山付き領域３２に対して係合可能な寸法とされた内部ネジ山３６を有している。外部スリーブ３４のうちの、ドリル用ビット１２の尖端２２の近くに位置したエッジは、ショルダ面３８を形成している。ショルダ面３８は、後述するように、ドリル用ビットに対する係止箇所を構成する。
【００１３】
内部スリーブ２８の内部ネジ山付き領域３０のネジ山と、ビット１２のネジ山付き領域２６のネジ山とは、第１ピッチを有している。一方、外部スリーブ３４の内部ネジ山付き領域３４のネジ山と、内部スリーブ２８の外部ネジ山付き領域３２のネジ山とは、第２ピッチを有している。第１ピッチと第２ピッチとは、互いに等しいものとも、また、互いに異なるものとも、することができる。第１ピッチと第２ピッチとは、第１ピッチと第２ピッチとの一方が粗調整ネジ山を構成しなおかつ第１ピッチと第２ピッチとの他方が微調整ネジ山を構成するように、設定される。本明細書においては、『粗』および『微』という用語は、相対的なものである。よって、任意の部材の『粗』な軸線方向移動とは、『微』な軸線方向移動と比較した場合に、部材の一回転あたりにおける軸線方向移動量が数倍であるような軸線方向移動を意味している。限定するものではないけれども、例示するならば、『粗』調整における軸線１４回りの１回転は、『微』調整における軸線１４回りの１回転の場合における軸線１４に沿った移動距離と比較して、１０倍であるような軸線１４に沿った移動距離をもたらすことができる。また、一方または双方のスリーブの１回転がドリル用ビットの特定の侵入深さに対応するように、ネジ山の各ターンを構成することができる。例えば、限定するものではないけれども、『粗』調整の１回転によって、係止部材を正確に１６分の１インチだけ移動させるものとすることができ、なおかつ、『微』調整の１回転によって、係止部材を正確に６４分の１インチだけ移動させるものとすることができる。『粗』調整および『微』調整における相対的な移動量は、単なる設計的な選択事項であって、特定の用途における要求に応じたものとすることができる。
【００１４】
スリーブ状係止部材１０は、ドリル用ビットをドリルに対して取り付ける際にもまたドリル用ビットをドリルから取り外す際にも、ドリル用ビット１２に対して係合することができる。例えば、ドリル用ビット１２をドリルに対して取り付ける際には、より詳細に後述するように、ドリル用ビットの尖端２２が係止部材を挿通するようにしつつドリル用ビットを挿入することによって、係止部材１０を、ドリル用ビットの周囲に結合させる。しかしながら、ドリル用ビットをドリルから取り外す際には、尖端２２と端部２４とのどちらを通しても、係止部材１０を、ドリル用ビットに対して結合させることができる。
【００１５】
使用時には、使用者は、穴１８の最大深さｄと、係止部材１０内におけるドリル用ビット１２の位置と、を決定し、ショルダ面３８とドリル用ビット１２の尖端２２との間において測定した距離がほぼ距離ｄであるようにショルダ面３８が位置するようにして、係止部材を調節する。これは、ドリル用ビット１２のどちらかの端部のところに、すなわち、尖端２２と端部２４とのいずれかのところに、同心的に内部スリーブ２８および外部スリーブ３４を配置することにより、さらにその後、内部ネジ山付き領域３０がドリル用ビット１２上のネジ山付き領域２６に対して係合するまで内部スリーブ２８を回転させることによって、達成される。スリーブ２８を、尖端２２のところにおいてドリル用ビット１２に対して結合させる場合には、ドリル用ビット１２は、内部スリーブ２８がカッティンググルーブ１６によって妨害されることなくカッティンググルーブ１６を超えて移動し得るよう、カッティンググルーブ１６のところにおける直径よりも大きな直径をネジ山付き領域２６のところにおいて有している必要がある。これにより、内部スリーブ２８は、ネジ山付き領域２６に対して係合することができる。ドリル用ビット１２のネジ山付き領域２６が内部スリーブ２８の内部ネジ山付き領域３０に対して係合した後には、内部スリーブ２８を回転させることによって、先端エッジ２９を、ドリル用ビットの長手方向に沿った所望距離のところに配置することができる。その後、外部スリーブ３４を内部スリーブ２８に対して回転することによって、ショルダ３８の位置の微調整を行うことができ、これにより、距離ｄを正確に決定することができる。
【００１６】
一実施形態においては、ドリル用ビットのネジ山付き領域２６は、省略することができ、その場合には、螺旋形のカッティンググルーブを、内部スリーブ２８上のネジ山３０に対する螺着のために使用することができる。このように、係止部材１０をビット１２上の所定位置に配置した後には、適切な量のカッティンググルーブ１６を露出させることができ、これにより、表面２０において所望深さの穴を穿孔することができる。
【００１７】
ショルダ３８の位置決めを容易なものとし得るよう、図２に示すように、係止部材１０が、二組をなす標示を備えていることが好ましい。すなわち、粗調整用の標示４０と、微調整用の標示４２と、を備えていることが好ましい。標示４０は、ビット１２上に配置することができ、標示４２は、内部スリーブ２８上に配置することができる。これにより、ビット１２に沿った内部スリーブ２８の動きが、尖端２２に対しての内部スリーブ２８の軸線方向位置を明らかなものとする。また、内部スリーブ２８に沿った外部スリーブ３４の動きが、内部スリーブ２８に対しての外部スリーブ３４の軸線方向位置を明らかなものとする。内部スリーブ２８と外部スリーブ３４とのいずれかが、係止部材１０の『粗』調整を実行することができる。設計的選択事項ながら、外部スリーブが、『微』調整を実行する。しかしながら、内部スリーブ２８が粗調整を実行しなおかつ外部スリーブ３４が微調整を実行することが、好ましい。また、内部スリーブ２８と外部スリーブ３４の一方または双方が、それぞれを互いに対して所定位置に固定するための手段、または、それぞれをドリル用ビット１２に対して所定位置に固定するための手段、を備えていることが好ましい。そのような手段は、例えば、セットネジ４４や、他の公知のアンカー止めデバイス、といったようなものである。
【００１８】
好ましい実施形態においては、各スリーブ２８，３４は、スリーブを把持するための把持手段を備えている。把持手段は、例えば、ローレット表面（ギザギザ付き表面）４６，４８とされる。また、スリーブの回転移動を容易なものとし得るよう、内部スリーブ２８と外部スリーブ３４との一方または双方には、例えばアーム５０（図３）といったような突起を設けることもできる。
【００１９】
外部スリーブ３４に対しての内部スリーブ２８の独立した動きを補助し得るよう、内部スリーブ２８の上部５２（図２）が、外部スリーブ３４が尖端２２から最大距離にわたって離間している場合であってさえも、外部スリーブ３４の上端５４を超えて延出されていることが好ましい。上部５２を把持することによって、内部スリーブ２８を回転させることができ、これにより、内部スリーブと外部スリーブとの相対的位置を不変に維持しつつ、外部スリーブ３４を回転させることができる。
【００２０】
本発明における粗調整機構および微調整機構に関しての代替可能な構成が、図４に示されている。この構成においては、第１スリーブ５６が、ドリル用ビット１２’の係合領域５８に対して取り付けられる。第１スリーブ５６は、互いに異なる２つの内部ネジ山を有している。すなわち、係合領域５８に対して係合する第１ネジ山６０と；第１ネジ山６０に対する段階状表面上に配置された第２ネジ山６２と；を有している。第１スリーブ５６は、第２スリーブ６４上に対して取り付けられる。第２スリーブ６４は、第１スリーブ５６の第２ネジ山６２に対して係合する外部ネジ山６６を有している。第２スリーブ６４は、さらに、ドリル用ビット１２’の侵入に関する係止箇所として機能するショルダ６８を備えている。ネジ山６０とネジ山６２とは、互いに異なるピッチを有している。これにより、例えば、第１ネジ山６０が、ショルダ６８の位置に関する粗調整を行うことができ、なおかつ、第２ネジ山６２が、ショルダ６８の位置に関する微調整を行うことができる。一実施形態においては、第１ネジ山６０のピッチは、第２ネジ山６２のピッチと比較して、およそ３倍とされている。そのため、ドリル用ビット１２’上における第１スリーブ５６の１回転は、第１スリーブ５６内における第２スリーブ６４の３回転に相当する。
【００２１】
本発明のさらなる代替可能な実施形態が、図５に示されている。この実施形態においては、係止部材７０は、円滑なシャンク７４を備えているような従来のドリル用ビット７２に対して適合させ得るよう、改造されている。ネジ山付き係合部材７６は、セットネジ７８によってシャンク７４上に取り付けられている。これにより、ネジ山付き係合部材７６は、ドリル用ビット７２に対して移動してしまうことが防止される。ネジ山付き係合部材７６は、所望場所にまでシャンク７４上をスライドし得るような円滑な内表面８０と、ネジ山付き外部部分８２と、を備えている。
【００２２】
係止部材７０は、さらに、第１スリーブ８４を備えている。第１スリーブ８４は、内面上に、第１ネジ山８６を有している。第１ネジ山８６は、ネジ山付き外部部分８２のネジ山に対して係合し得るよう構成されている。第１スリーブ８４は、さらに、小径部８８を備えている。この小径部８８は、外面上に、第２ネジ山９０を有している。第２ネジ山９０のピッチは、第１ネジ山８６のピッチとは異なるものとされている。第２スリーブ９２は、第１スリーブ８４に対して回転可能に取り付けられる。第２スリーブ９２は、ネジ山９４を有している。このネジ山９４は、第１スリーブ８４の第２ネジ山９０に対して係合し得るよう構成されている。第２スリーブ９２は、さらに、ショルダ９６を備えている。このショルダ９６は、ドリル用ビット７２が所望深さに到達した時点で、ドリル用ビット７２が穿孔を行っている表面に対して当接し得るよう構成されている。これにより、その表面内へのドリル用ビット７２の侵入を制限することができる。
【００２３】
動作時には、係止部材７０は、図１の係止部材１０の場合と同様に機能する。しかしながら、係止部材７０の場合には、サイズが小型化されている。この小型化は、第１スリーブ８４の小径部分８８上へと第２スリーブ９２を取り付けていることに起因している。
【００２４】
本発明の好ましい実施形態のさらなる特徴点が、図６で示されている。外部スリーブ９８が、尖端１０２を有したドリル用ビット１００に対して取り付けられている。外部スリーブ９８は、外部スリーブ９８のうちの、ドリル用ビット１００の尖端１０２に対して最も近い端部１０６のところに、外向きに突出している環状ショルダ１０４を備えている。センタリングスリーブ（中心合わせスリーブ）１０８が、端部１０６に対して取り付けられている。これにより、センタリングスリーブ１０８は、尖端１０２に向けて突出している。例えば変形可能なエラストマーまたはスプリング１１０といったような弾性部材が、センタリングスリーブ１０８内に取り付けられている。これにより、センタリングスリーブ１０８を、尖端１０２上に延在する位置へと付勢している。センタリングスリーブ１０８は、小径部１１２を備えている。小径部１１２は、外部スリーブ９８の端部１０６とは反対側のところに、すなわち、尖端１０２の近くに、ネジ山付き端部１１４を有している。このネジ山付き端部１１４に対しては、着脱可能とされた円錐台形状の位置合わせ部材１１６が、螺着されている。位置合わせ部材１１６は、開口１１８を有している。開口１１８のサイズは、ドリル用ビット１００の直径よりも大きなものとされている。このため、ドリル用ビット１００は、開口１１８を容易に挿通することができる。互いに異なるサイズの開口１１８を有しているような様々なサイズの位置合わせ部材１１６を使用することにより、様々な直径のドリル用ビットに対応することができる。
【００２５】
センタリングスリーブ１０８の側面には、ベント穴１２０を設けることができる。これにより、穿孔最中の穴からの破片を、センタリングスリーブ１０８から排出することができる。これにより、それら破片が内部に蓄積してしまうことを防止することができる。
【００２６】
位置合わせ部材１１６は、センタリングスリーブ１０８に対して、中心合わせされる。このため、位置合わせ部材１１６は、ドリル用ビット１００が穿孔を行っている表面内に形成されたカウンターシンク（図示せず）に対して、係合するすることができる。位置合わせ部材１１６の側面が位置合わせされることにより、ドリル用ビット１００の尖端１０２は、任意のカウンターシンクの中心に対して、自動的に配置される。使用者が、ドリルの背面に対して圧力を印加し始めると、ドリル用ビット１００は、カウンターシンクに向けて移動し、そして、スプリング１１０が完全に圧縮されるまで、センタリングスリーブ１０８を、外部スリーブ９８上へと引っ込める。これにより、ドリル用ビット１００の前進を停止させることによって、表面内へのドリル用ビット１００の侵入深さを制限する。そして、穿孔が完了したことを使用者に知らせる。この例においては、ドリル用ビット１００の侵入深さは、ショルダ１０６の位置に、スプリング１１０の最小長さ（すなわち、完全に圧縮された状態でのスプリングの長さ）と、位置合わせ部材１１６の長さと、加算した位置に対応した深さとなる。よって、穿孔対象をなす表面内へのドリル用ビット１００の侵入深さを制限し得るよう外部スリーブ９８の位置を設定した時点で、それら距離が、外部スリーブ９８上に配置されている標示（図示せず）を使用することによって、あるいは、取扱説明書に記載されているようにして差異を計算する必要性を使用者に知らせることによって、計算されなければならない。
【００２７】
本発明による基本的に新規な様々な特徴点に関して本発明の好ましい実施形態に関連して図示して説明したけれども、当業者であれば、本発明の精神および範囲を逸脱することなく、上記デバイスの構成や使用態様に関して、様々な省略や様々な置換や様々な変更を行い得ることは、理解されるであろう。例えば、実質的に同じ態様でもって実質的に同じように機能しそれにより同じ結果を達成し得るような様々な部材に関するすべての組合せが、本発明の範囲内に属するものであることを特に強調しておく。さらに、本発明の実施形態に関連して上述した様々な構造や様々な部材や様々な態様を、一般的な実施態様内に組み込み得ることは、理解されるであろう。したがって、本発明は、特許請求の範囲によってのみ制限される。
【００２８】
例えば、特定の用途において粗調整と微調整との双方が要求されない場合には、当業者であれば、単一のスリーブを使用することによって、ドリル用ビットの侵入深さを調節し得ることは、理解されるであろう。
【図面の簡単な説明】
【００２９】
【図１】本発明の好ましい実施形態を示す断面図である。
【図２】図１の実施形態における外面を詳細に示す図である。
【図３】本発明の代替可能な実施形態を示す部分断面図である。
【図４】本発明のさらなる代替可能な実施形態を示す部分断面図である。
【図５】本発明のさらに他の代替可能な実施形態を示す部分断面図である。
【図６】本発明における付加的な特徴点を示す部分断面図である。
【符号の説明】
【００３０】
１０  係止部材
１２  ドリル用ビット
１４  軸線
１６  カッティンググルーブ
２０  表面
２２  尖端
２４  反対側の端部、第２端部
２６  ネジ山付き領域（係合用ネジ山）
２８  第１内部スリーブ（第１スリーブ）
３４  第２外部スリーブ（第２スリーブ）
３８  ショルダ
【図１】
2007516855.tif 000003
【図２】
2007516855.tif 000004
【図３】
2007516855.tif 000005
【図４】
2007516855.tif 000006
【図５】
2007516855.tif 000007
【図６】
2007516855.tif 000008
【国際調査報告】
2007516855.tif 000009